(57)【要約】【課題】介護者等が使用者を二人がかりで便器に乗り移らせる等の重労働を行うことなく、使用者が着座したまま洋式の便器の上まで移動させることができ、使用者は便座に乗り移ることなく排便することができ、介護や看護の現場における介護者等の労苦を著しく軽減する。【解決手段】使用者８が着座可能な本体５に車輪９，１０を取り付けて形成された車椅子において、後退させることで本体下部に洋式の便器６が入り込む大きな開口部２ａを形成すると共に、使用者８が便器６の便座６ａに移ることなくそのまま排便可能なように着座部３を開閉可能にして通常の使用状態と排便可能状態とに切替え可能にした構成を特徴とする。【選択図】　　　　図１
2004057488.tif 000002
【特許請求の範囲】
【請求項１】
使用者が着座可能な本体に車輪を取り付けて形成された車椅子において、後退させることで前記本体下部に洋式の便器が入り込む大きな開口部を形成すると共に、使用者が前記便器の便座に移ることなくそのまま排便可能なように着座部を所定範囲内で開閉可能に構成したことを特徴とする車椅子。
【請求項２】
使用者が着座可能な本体に車輪を取り付けて形成された車椅子において、後退させることで前記本体下部に洋式の便器が入り込む大きな開口部が形成された本体フレームと、一部に排便を可能にするための開口部が形成されてなる着座部と、該着座部の下側に配設され使用者が前記便器の便座に移ることなく前記着座部に着座したまま排便可能なように所定範囲内で開閉可能な便座部開閉装置とを備えたことを特徴とする車椅子。
【請求項３】
使用者が着座可能な本体に車輪を取り付けて形成された車椅子において、後退させることで前記本体下部に洋式の便器が入り込む大きな開口部が形成された本体フレームと、一部に排便を可能にするための開口部が形成されてなる着座部と、該着座部の下側に配設され互いに連動して動くように構成された左右の一対のレバーに開閉部材が夫々取り付けられ前記レバーの操作により開閉部材を開閉可能な便座部開閉装置とを備え、使用者が前記便器の便座に移ることなく前記着座部に着座したまま排便可能なように構成したことを特徴とする車椅子。
【請求項４】
使用者が着座可能な本体に車輪を取り付けて形成された車椅子において、後退させることで前記本体下部に洋式の便器が入り込む大きな開口部が形成された本体フレームと、一部に排便を可能にするための開口部が形成されてなる着座部と、該着座部の下側に配設されピニオンラック機構により互いに反対方向に連動して動くように構成された左右の一対のレバーに開閉部材が夫々取り付けられ前記レバーの操作により開閉部材を左右方向に開閉可能な便座部開閉装置とを備え、使用者が前記便器の便座に移ることなく前記着座部に着座したまま排便可能なように構成したことを特徴とする車椅子。
【請求項５】
使用者が着座可能な本体に車輪を取り付けて形成された車椅子において、後退させることで前記本体下部に洋式の便器が入り込む大きな開口部が形成された本体フレームと、上部体がはね上げ可能に取り付けられ該上部体をはねあげたときに露出する下部体に排便を可能にするための開口部が形成された着座部とを備え、前記上部体をはね上げた状態で前記下部体に使用者が着座しておくことで前記便器の便座に移ることなく着座したまま排便可能に構成したことを特徴とする車椅子。
【発明の詳細な説明】
【０００１】
【発明の属する技術分野】
本発明は、車椅子に係り、特に介護者等が使用者を二人がかりで便器に乗り移らせる等の重労働を行う必要がなく、使用者が着座したまま洋式の便器の上まで移動させることができ、使用者は便座に乗り移ることなく排便することができ、介護や看護の現場における介護者等の労苦を著しく軽減し得る車椅子に関する。
【０００２】
【従来の技術】
病院や老人ホーム等における患者や被介護者等は、自分で車椅子に乗降できる者ばかりではないため、このような者がトイレで用を足す場合には、介護者が、例えば二人がかりでベッドから車椅子に乗せ、トイレまで該車椅子を押して行き、便器の前で立ち上がらせて下半身を露出させ、車椅子から降ろして便座に座らせなければならず、排便が終わった後には、汚れを拭き取った後着衣を元に戻し、車椅子に乗せ換えてベッドまで戻るという一連の作業を行わなければならず、介護者にとっては大変な重労働であった。
【０００３】これは従来の車椅子が、足の不自由な人を乗せて移動させるための機能しか持ち合わせておらず、トイレで用を足す場合には、車椅子と便座との間の乗換えが必要であったためであり、トイレにおいて便座への乗換えを不要とするような車椅子はこれまで一般に提供されていなかった。
【０００４】
【発明が解決しようとする課題】
本発明は、上記した従来技術の欠点を除くためになされたものであって、その目的とするところは、使用者が着座可能な本体に車輪を取り付けて形成された車椅子において、後退させることで本体下部に洋式の便器が入り込む大きな開口部を形成すると共に、使用者が便器の便座に移ることなくそのまま排便可能なように着座部を所定範囲内で開閉可能に構成することによって、介護者等が使用者を二人がかりで便器に乗り移らせる等の重労働を行うことなく、使用者が着座したまま洋式の便器の上まで移動させることができるようにすると共に、使用者は便座に乗り移ることなく排便することができるようにすることであり、またこれによって介護や看護の現場における介護者等の労苦を著しく軽減することである。
【０００５】また他の目的は、後退させることで本体下部に洋式の便器が入り込む大きな開口部が形成された本体フレームと、一部に排便を可能にするための開口部が形成されてなる着座部と、該着座部の下側に配設され使用者が便器の便座に移ることなく着座部に着座したまま排便可能なように所定範囲内で開閉可能な便座部開閉装置とを備えることによって、通常の車椅子としても使用でき、トイレに使用者を連れて行く場合には車椅子に着座させたまま排便させることができるようにすることである。
【０００６】更に他の目的は、上記構成において、着座部の下側に配設され、互いに連動して動くように構成された左右の一対のレバーに開閉部材が夫々取り付けられレバーの操作により開閉部材を開閉可能な便座部開閉装置を備えることによって、手動操作により通常の着座状態と排便可能状態とを切り換えることができるようにすることである。
【０００７】また他の目的は、上記構成において、着座部の下側に配設されピニオンラック機構により互いに反対方向に連動して動くように構成された左右の一対のレバーに開閉部材が夫々取り付けられレバーの操作により開閉部材を左右方向に開閉可能な便座部開閉装置を備えることによって、左右のどちらか一方のレバーを操作するだけで両方の開閉部材が同時に開閉し、通常の着座状態と排便可能状態とを容易に切り換えることができるようにすることである。
【０００８】更に他の目的は、上記本体フレームと、上部体がはね上げ可能に取り付けられ該上部体をはねあげたときに露出する下部体に排便を可能にするための開口部が形成された着座部とを備え、上部体をはね上げた状態で下部体に使用者が着座しておくことで便器の便座に移ることなく着座したまま排便可能に構成することによって、使用者が着座する前に上部体を上げ下げすることで車椅子としての通常の使用状態と排便可能状態とを切り換えることができるようにすることであり、またこれによって上部体が排便により全く汚れることがないようにすることである。
【０００９】
【課題を解決するための手段】
要するに本発明（請求項１）は、使用者が着座可能な本体に車輪を取り付けて形成された車椅子において、後退させることで前記本体下部に洋式の便器が入り込む大きな開口部を形成すると共に、使用者が前記便器の便座に移ることなくそのまま排便可能なように着座部を所定範囲内で開閉可能に構成したことを特徴とするものである。
【００１０】また本発明（請求項２）は、使用者が着座可能な本体に車輪を取り付けて形成された車椅子において、後退させることで前記本体下部に洋式の便器が入り込む大きな開口部が形成された本体フレームと、一部に排便を可能にするための開口部が形成されてなる着座部と、該着座部の下側に配設され使用者が前記便器の便座に移ることなく前記着座部に着座したまま排便可能なように所定範囲内で開閉可能な便座部開閉装置とを備えたことを特徴とするものである。
【００１１】また本発明（請求項３）は、使用者が着座可能な本体に車輪を取り付けて形成された車椅子において、後退させることで前記本体下部に洋式の便器が入り込む大きな開口部が形成された本体フレームと、一部に排便を可能にするための開口部が形成されてなる着座部と、該着座部の下側に配設され互いに連動して動くように構成された左右の一対のレバーに開閉部材が夫々取り付けられ前記レバーの操作により開閉部材を開閉可能な便座部開閉装置とを備え、使用者が前記便器の便座に移ることなく前記着座部に着座したまま排便可能なように構成したことを特徴とするものである。
【００１２】また本発明（請求項４）は、使用者が着座可能な本体に車輪を取り付けて形成された車椅子において、後退させることで前記本体下部に洋式の便器が入り込む大きな開口部が形成された本体フレームと、一部に排便を可能にするための開口部が形成されてなる着座部と、該着座部の下側に配設されピニオンラック機構により互いに反対方向に連動して動くように構成された左右の一対のレバーに開閉部材が夫々取り付けられ前記レバーの操作により開閉部材を左右方向に開閉可能な便座部開閉装置とを備え、使用者が前記便器の便座に移ることなく前記着座部に着座したまま排便可能なように構成したことを特徴とするものである。
【００１３】また本発明（請求項５）は、使用者が着座可能な本体に車輪を取り付けて形成された車椅子において、後退させることで前記本体下部に洋式の便器が入り込む大きな開口部が形成された本体フレームと、上部体がはね上げ可能に取り付けられ該上部体をはねあげたときに露出する下部体に排便を可能にするための開口部が形成された着座部とを備え、前記上部体をはね上げた状態で前記下部体に使用者が着座しておくことで前記便器の便座に移ることなく着座したまま排便可能に構成したことを特徴とするものである。
【００１４】
【発明の実施の形態】
以下本発明を図面に示す実施例に基いて説明する。本発明の第１実施例に係る車椅子１は、図１から図６において、本体フレーム２と、着座部３と、便座部開閉装置４とを備えている。
【００１５】本体フレーム２は、後退させることで本体下部に洋式の便器６が入り込む大きな開口部２ａが形成されたものであって、多数のパイプ等を組み合わせて構成されており、本体５の骨格をなすものである。
【００１６】本体フレーム２の前側下部には、図１及び図２に示すように、サイドメンバ２ｂが設けられているが、後側下部には設けられておらず、この部分が開口部２ａを形成している。
【００１７】本体フレーム２には、図２及び図８に示すように、便座部開閉装置４を取り付けるための取付け座２ｃ、介護者等（図示せず）が押して歩くための把手部２ｄ、使用者８のための肘掛け部２ｅ及び足載せ部２ｆが形成されている。着座部３の側方及び背もたれ部分には、幕４１，４２が張られている。
【００１８】また本体フレーム２には、小径で任意の進行方向に向けて回動可能な前車輪９と、大径で使用者８自身が駆動力を与えることができるようにハンドル１０ａが取り付けられた後車輪１０とが、例えば夫々２個ずつ取り付けられ、把手部２ｄには、後車輪１０に制動力を与えるブレーキ装置１１のレバー１２が取り付けられている。
【００１９】着座部３は、図１及び図２に示すように、一部に排便を可能にするための開口部１３が形成されてなる、例えばウレタン樹脂やスポンジ等が詰められたクッションであり、便座部開閉装置４の上に取り付けられている。開口部１３は、小便及び大便の排便を行うために十分な大きさ及び形状に形成されている。
【００２０】便座部開閉装置４は、図１から図６に示すように、着座部３の下側に配設され、ピニオンラック機構１４により互いに反対方向に連動して動くように構成された左右の一対のレバー１５に開閉部材１６が夫々取り付けられ、該レバー１５の操作により開閉部材１６を左右方向に開閉可能に構成され、ピニオンラック機構１４及び開閉部材１６はケース１８内に収納されている。ケース１８は、例えば上下分割式となっており、着座部３と同様の開口部１８ａが上下に形成され、上側に着座部３を取り付けることで、ケース１８の剛性によって着座部３に着座が可能となっている。
【００２１】ピニオンラック機構１４は、図３から図６に示すように、一対のレバー１５の双方に、相対向して形成されたラック１５ａの間にピニオン２０が噛合する構成となっており、レバー１５は、支持部材２２によって夫々左右方向、即ちケース１８からの突出方向及び収納方向に摺動可能に支持されている。
【００２２】レバー１５には、収納時及び引出し時に夫々クリックボール２１が係合して節度感が得られると共に走行中又は排便中にレバー１５が不本意に動かないように全周にわたってＶ字形の節度溝１５ｃ，１５ｄが夫々形成されており、レバー１５の収納時にはクリックボール２１が節度溝１５ｃに係合し、レバー１５の引出し時にはクリックボール２１が節度溝１５ｄに係合するように構成されている。
また一対のレバー１５の先端には、該レバーをつかみ易くするための大径部１５ｂが夫々形成されている。
【００２３】開閉部材１６は、図３から図６に示すように、例えば繊維強化樹脂（ＦＲＰ）等を成型してなる中空の板状体であって、ねじ２５によって一対のレバー１５に夫々水平に固定されている。開閉部材１６には、ガイドローラ２６，２８が取り付けられており、該ガイドローラ２６，２８がケース１８内に左右方向に取り付けられたガイドレール２３，２４上を転動するようになっている。
【００２４】ピニオン２０は、ケース１８に取り付けられた軸受２９によって垂直軸回りに回動自在に支持されている。支持部材２２は、ねじ３０によってケース１８に固定されている。
【００２５】便座部開閉装置４は、ケース１８に螺合するねじ１９によって、本体フレーム２の取付け座２ｃに固定されている。
【００２６】洋式の便器６には、図１０に示すように、シャワー（温水噴射式洗浄装置）４０及びその操作部（図示せず）を有し、幅寸法が大きいタイプのものもあるので、本体フレーム２の形状や開口部２ａの大きさは、そのような便器６にも対応できるように設定されている。
【００２７】次に本発明の第２実施例に係る車椅子３２は、図１３から図１５において、本体フレーム２と、着座部３３とを備えている。
【００２８】着座部３３は、上部体がはね上げ可能に取り付けられ該上部体３４をはねあげたときに露出する下部体３５に排便を可能にするための開口部３５ａが形成されたものであって、本体フレーム２の取付け座（図示せず）に取り付けられている。
【００２９】上部体３４は、図１４及び図１５に示すように、例えばウレタン樹脂やスポンジ等が詰められたクッションであり、下部体３５に対して後端の支持部３６を中心として矢印Ｄ方向及びその逆方向に揺動自在に取り付けられている。
【００３０】下部体３５は、使用者８の体重を支えるために十分な剛性を有しており、その開口部３５ａは、小便及び大便の排便を行うために十分な大きさ及び形状に形成されている。
【００３１】第２実施例においては、第１実施例と異なり、上部体３４には開口部が形成されておらず、該上部体３４をはね上げることにより、下部体３５の開口部３５ａが現れるようになっている。
【００３２】その他の部分は、第１実施例と同様であるので、同一の部分には図面に同一の符号を付して、説明を省略する。
【００３３】本発明は、上記のように構成されており、以下その作用について説明する。まず本発明の第１実施例に係る車椅子１の作用について説明すると、図７から図９に示すように、使用者８は着座部３に着座した状態で、自力又は介護者等により押されてトイレの便器６までやって来る。下半身を露出させることについては、車椅子１に着座する前に行っておいてもよいし、トイレまでやって来てから行ってもよい。
この状態では、レバー１５は収納状態にあり、クリックボール２１は節度溝１５ｃに係合している。このため車椅子１の走行中にかなりの振動が床面から伝わっても、不本意にレバー１５が動いたり、開閉部材１６が開いたりすることはない。
【００３４】便器６に対して、車椅子１を矢印Ａ方向に後退させるようにすると、本体下部の開口部２ａに便器６が収まり、使用者が該便器６の直上付近に位置することになる。ここでクリックボール２１の抵抗力に抗して、例えば左のレバー１５を矢印Ｂ方向に引き出すと、該レバー１５に噛み合っているピニオン２０が回転して右のレバー１５が同じ長さだけ矢印Ｃ方向に突出する。なお、右のレバー１５を引き出すようにしてもよく、また両方のレバー１５を同時に操作して引き出すようにしてもよい。
【００３５】左右のレバー１５が連動して引き出されることによって、左右の開閉部材１６が開き、開口部１３が便器６と通じた状態となる。これによって使用者は、車椅子１から便座６ａに乗り移ることなく該車椅子１に着座したまま排便が可能である。
このレバー１５の引出し時においては、クリックボール２１は節度溝１５ｄに係合しているので、排便中に不本意にレバー１５が動いたり、開閉部材１６が閉じたりするおそれは全くない。
【００３６】排便終了後、レバー１５を押し込めば、左右の開閉部材１６が連動して閉じ、通常の着座状態に戻る。収納状態のレバー１５に対しては、クリックボール２１が節度溝１５ｃに再び係合するので、不本意にレバー１５が動いたり、開閉部材１６が開いたりすることはない。
また着座状態においては、使用者８の体重はすべて着座部３及びケース１８で受け止めるため、開閉部材１６に体重がかかることはなく、着座したまま軽快にレバー１５を操作して開閉部材１６を開閉することができる。そして車椅子１として、通常の走行状態又は排便可能状態に、着座したまま、即ち一旦車椅子１から降りたりすることなく、その機能を変更することができて非常に便利である。
【００３７】次に本発明の第２実施例に係る車椅子３２の作用について説明すると、図１３から図１５に示すように、通常時は上部体３４を水平状態にしておくことで、通常の車椅子として使用が可能であり、上部体３４を矢印Ｄ方向にはね上げると下部体３５の開口部３５ａが露出し排便可能状態となる。
【００３８】従って使用者が排便のためトイレに向かう場合には、予め上部体３４を矢印Ｄ方向にはね上げておき、下半身を露出させて下部体３５に着座しておくことで、車椅子３２から便座に乗り移ることなくそのまま排便が可能である。
【００３９】便器６に対して、車椅子３２を後退させると、本体下部の開口部２ａに便器６が収まり、使用者が該便器６の直上付近に位置することになる点は、第１実施例と同様である。
【００４０】なお、上記第１実施例において、開閉部材１６を開閉させるために、ピニオンラック機構１４を用いたが、これに限られるものではなく、開閉部材１６を平行に開閉できるものであればどのような構成であってもよい。
【００４１】
【発明の効果】
本発明は、上記のように使用者が着座可能な本体に車輪を取り付けて形成された車椅子において、後退させることで本体下部に洋式の便器が入り込む大きな開口部を形成すると共に、使用者が便器の便座に移ることなくそのまま排便可能なように着座部を所定範囲内で開閉可能に構成したので、介護者等が使用者を二人がかりで便器に乗り移らせる等の重労働を行うことなく、使用者が着座したまま洋式の便器の上まで移動させることができる効果があると共に、使用者は便座に乗り移ることなく排便することができる効果があり、またこの結果介護や看護の現場における介護者等の労苦を著しく軽減することができる効果がある。
【００４２】また後退させることで本体下部に洋式の便器が入り込む大きな開口部が形成された本体フレームと、一部に排便を可能にするための開口部が形成されてなる着座部と、該着座部の下側に配設され使用者が便器の便座に移ることなく着座部に着座したまま排便可能なように所定範囲内で開閉可能な便座部開閉装置とを備えたので、通常の車椅子としても使用でき、トイレに使用者を連れて行く場合には車椅子に着座させたまま排便させることができるという効果が得られる。
【００４３】更には、上記構成において、着座部の下側に配設され、互いに連動して動くように構成された左右の一対のレバーに開閉部材が夫々取り付けられレバーの操作により開閉部材を開閉可能な便座部開閉装置を備えたので、手動操作により通常の着座状態と排便可能状態とを切り換えることができるという効果がある。
【００４４】また上記構成において、着座部の下側に配設されピニオンラック機構により互いに反対方向に連動して動くように構成された左右の一対のレバーに開閉部材が夫々取り付けられレバーの操作により開閉部材を左右方向に開閉可能な便座部開閉装置を備えたので、左右のどちらか一方のレバーを操作するだけで両方の開閉部材が同時に開閉し、通常の着座状態と排便可能状態とを容易に切り換えることができるという効果がある。
【００４５】更には、上記本体フレームと、上部体がはね上げ可能に取り付けられ該上部体をはねあげたときに露出する下部体に排便を可能にするための開口部が形成された着座部とを備え、上部体をはね上げた状態で下部体に使用者が着座しておくことで便器の便座に移ることなく着座したまま排便可能に構成したので、使用者が着座する前に上部体を上げ下げすることで車椅子としての通常の使用状態と排便可能状態とを切り換えることができる効果があり、またこの結果上部体が排便により全く汚れることがないという効果がある。
【図面の簡単な説明】
【図１】図１から図１２は、本発明の第１実施例に係り、図１は車椅子の斜視図である。
【図２】車椅子の分解斜視図である。
【図３】便座部開閉装置の内部を示す部分横断面平面図である。
【図４】便座部開閉装置のクリックボール部の縦断面図である。
【図５】便座部開閉装置のピニオンラック機構部の縦断面図である。
【図６】便座部開閉装置のピニオンラック機構部の部分拡大縦断面図である。
【図７】使用者が着座し、車椅子を後退させることで便器の上に使用者が位置し、レバーを引き出すことで排便可能となる車椅子の作用を示す平面図である。
【図８】車椅子に着座した使用者が便器の上に位置している状態を示す正面図である。
【図９】車椅子に着座した使用者が便器の上に位置している状態を示す背面図である。
【図１０】シャワー付き便座を有する便器に対して、使用者が車椅子に着座したまま該便器の直上に移動した状態を示す部分縦断面側面図である。
【図１１】通常の便器に対して、使用者が車椅子に着座したまま該便器の直上に移動した状態を示す部分縦断面側面図である。
【図１２】シャワー付き便座を有する便器に対して、使用者が車椅子に着座したまま該便器の直上に移動した状態における、便座部開閉装置の内部を示す部分縦断面側面図である。
【図１３】図１３から図１５は、本発明の第２実施例に係り、図１３は上部体を下ろして通常の使用状態とした車椅子の斜視図である。
【図１４】上部体をはね上げて排便可能状態とした車椅子の斜視図である。
【図１５】上部体をはね上げて排便可能状態とした車椅子の部分縦断面側面図である。
【符号の説明】
１　　車椅子
２　　本体フレーム
２ａ　開口部
３　　着座部
４　　便座部開閉装置
５　　本体
６　　便器
６ａ　便座
８　　使用者
１３　　開口部
１４　　ピニオンラック機構
１５　　レバー
１６　　開閉部材
３２　　車椅子
３３　　着座部
３４　　上部体
３５　　下部体
【図１】
2004057488.tif 000003
【図２】
2004057488.tif 000004
【図３】
2004057488.tif 000005
【図４】
2004057488.tif 000006
【図５】
2004057488.tif 000007
【図６】
2004057488.tif 000008
【図７】
2004057488.tif 000009
【図８】
2004057488.tif 000010
【図９】
2004057488.tif 000011
【図１０】
2004057488.tif 000012
【図１１】
2004057488.tif 000013
【図１２】
2004057488.tif 000014
【図１３】
2004057488.tif 000015
【図１４】
2004057488.tif 000016
【図１５】
2004057488.tif 000017